(57)【要約】【課題】本発明は、スーパーマーケットおよびスーパーマーケット利用者が、使い慣れた従来のロールホルダーに装着して、簡単、迅速、衛生的にロール状ポリ袋の開口が出来、且つ広告が行えるポリ袋開口具を提供する。【解決手段】スーパーマーケットで導入済みの一般的なロールホルダーに、矩形状板材を基板として、前記基板の上縁部左右に、前記ロールホルダーの桁に対して着脱可能な垂直に懸吊するフック部を設け、該左右フック部の中間に、粘着力を有するシリコンゴムを貼着した棚状の張出から成るポリ袋摺動部を設け、該ポリ袋摺動部の下位に、広告用紙を収納する広告用紙収納部を設けたポリ袋開口具である。【選択図】図１０
2020055623.tif 000002
【特許請求の範囲】
【請求項１】
スーパーマーケットで導入済みの一般的なロールホルダーに、矩形状板材を基板として、前記基板の上縁部左右に、前記ロールホルダーの桁に対して着脱可能な垂直に懸吊するフック部を設け、該左右フック部の中間に、粘着力を有するシリコンゴムを貼着した棚状の張出から成るポリ袋摺動部を設け、該ポリ袋摺動部の下位に、広告用紙を収納する広告用紙収納部を設けたポリ袋開口具。
【発明の詳細な説明】
【技術分野】
【０００１】  本発明は、スーパーマーケットなどにおいて開けにくいロール状ポリ袋を簡単、迅速、衛生的に開けることが出来、且つ広告が行えるポリ袋開口具に関するものである。
【背景技術】
【０００２】  従来、スーパーマーケットなどの大型食品店では、レジの操作、商品の補充、店内の什器類の点検、清掃など様々な職種で多数の従業員が雇用されているが、従業員が扱うレジその他機器類の操作方法や什器類の取り扱い方法は、例えば、短時日の研修で済むような簡便であることが望まれる。【０００３】  前記什器類に含まれるロール状ポリ袋を装着するロールホルダーは、故障の少ない簡素な機構と簡便な操作性、例えば、ロール状ポリ袋の補充が人手と時間をかけずに容易に行える機構であると共に、ロール状ポリ袋の全重量を支え、不特定多数の利用者が、利用者毎に異なる力でポリ袋を引き出す際の回動、ポリ袋を破断するときの振動などに対する耐久性が必要とされる。【０００４】  図６は従来、市販されている一般的なロールホルダーを説明するための図である。底板（１７）とその左右に相対して直角に接続する側板（１６）と該側板（１６）を保持する複数の桁（１４）、（１５）からなる空間に、円筒形状を成すロール状ポリ袋（２２）の両底面の中心を結ぶ中空芯（２５）に回動軸（１９）を挿入し、左右側板（１６）に設けられた回動軸軸受（１８）に回動軸（１９）を装架することでロール状ポリ袋（２２）が使用出来る状態となる。利用者は、ロール状ポリ袋１枚目開口部（２６）付近を手で保持しながら連続して形成されている２枚目のポリ袋との境界部分にある切断用ミシン目（２８）を手前に引き出し、ミシン目切断用の三角形状突起（１２）と該切断用ミシン目（２８）とを合わせた後、ポリ袋（２３）を下方に引き下げて切断する仕組みを成している。【０００５】  従来、スーパーマーケットでは店舗内の壁面、通路や窓などへ新商品や安売りのポスター、チラシなどを掲示したり、新聞の折込チラシなどで広告や従業員募集の告知を行っている。
【先行技術文献】
【特許文献】
【０００６】
【特許文献１】特開２０１１−１３１９１２号公報
【発明の概要】
【発明が解決しようとする課題】
【０００７】  例えば、前記したロールホルダーでは、ロール状ポリ袋の切断用ミシン目が三角形状突起まで引き出す以前に裂けてしまう場合があること、利用者によっては買い物した商品数に応じて、ロール状ポリ袋を複数枚連続して引き出し、三角形状突起を使用せずに手で切断する場合があること、ロール状ポリ袋が開けにくい理由のひとつである滑りやすい性質によって、利用者が意図せずに引き出し途中でロール状ポリ袋を放してしまう場合があり、これらの動作に起因して、引き出されていない残りのロール状ポリ袋の重みで切断した箇所、すなわち次の引き出し面が、引き出されていない残りのロール状ポリ袋側に巻き取られてしまうこと等の事態を生じることがある。【０００８】  例えば、特許文献１は、１枚目のロール状ポリ袋を切断する所定の位置となる延出平面先端まで引き出した後、ロール状ポリ袋のミシン目を前記ロールホルダーの三角形状突起に相当する延出平面先端に当てた状態で下方に引いて切断すると、切断時の下向きの力で２枚目のロール状ポリ袋が延出平面に貼着された弱粘着性シートに張り付けられて開口しやすくなると共に、２枚目以降のロール状ポリ袋が引き出されないような機構を有している。もし、利用者が前記所定の方法でロール状ポリ袋を切断しなかった場合、ロール状ポリ袋の引き出し中は、引き出しを防止する機構が働かないので、前記ロールホルダーの場合と同様の事態が生じると、弱粘着性シートに２枚目のロール状ポリ袋は張り付かないと考えられるが、特許文献１では前述のような事態を想定した対策は無く、外れてしまったロール状ポリ袋の先端部分を再度、機構に引き通す方法も記載されていない。【０００９】  スーパーマーケットのサッカー台周辺には利用者が集中するので、スーパーマーケットでは次回売出の広告や従業員募集の告知などを前記サッカー台周辺に置いているが、利用者の視点が購入した商品やロール状ポリ袋に向けられているため、前記広告や告知がより効果的に利用者に周知されることが望まれる。【００１０】  本発明は、これらの問題点を解決するために、スーパーマーケットおよびスーパーマーケット利用者が、使い慣れた従来のロールホルダーに装着して、簡単、迅速、衛生的にロール状ポリ袋の開口が出来、且つ広告が行えるものである。
【課題を解決するための手段】
【００１１】  スーパーマーケットで導入済みの一般的なロールホルダーに、矩形状板材を基板として、前記基板の上縁部左右に、前記ロールホルダーの桁に対して着脱可能な垂直に懸吊するフック部を設け、該左右フック部の中間に、粘着力を有するシリコンゴムを貼着した棚状の張出から成るポリ袋摺動部を設け、該ポリ袋摺動部の下位に、広告用紙を収納する広告用紙収納部とを設けて構成される。
以上を特徴とするポリ袋開口具である。
【発明の効果】
【００１２】  利用者は、開口部が密着したロール状ポリ袋を、スーパーマーケットのサッカー台周辺に用意された濡れタオルや利用者自身の指を舐めることなどで開口せずに、シリコンゴムの粘着力を使って、簡単、迅速、衛生的にポリ袋を開口することが出来る。【００１３】  スーパーマーケットは、従来のロールホルダーがそのまま使用できれば、無償提供品に相当するロール状ポリ袋のために、特許文献１のような新たな仕組みを有するロールホルダーの取得費用とロールホルダーを取り扱うための従業員教育が不要となる。【００１４】  スーパーマーケットは、利用者の視線が集まるロールホルダーを利用して簡単且つ適切な時期に広告や告知を行うことが出来る。【００１５】  シリコンゴムの表面についたゴミや埃は、水拭きにより除去することで、粘着力を回復させることが出来る。【００１６】
【図面の簡単な説明】
【００１７】
【図１】本発明の正面図
【図２】本発明の平面図
【図３】本発明の右側面の断面図
【図４】本発明の背面図
【図５】本発明の斜視図
【図６】一般的なロールホルダーとロール状ポリ袋の見取図
【図７】ロールホルダーからロール状ポリ袋を引き出す状態図
【図８】ロール状ポリ袋の切断用ミシン目を三角形状突起で刺突した状態図
【図９】〔図８〕に続いてロール状ポリ袋を切断用ミシン目で切り離す状態図
【図１０】本発明の斜視図
【図１１】本発明の使用状態図
【発明を実施するための形態】
【００１８】  以下、本発明を実施するための形態について説明する。
（イ）本発明は、矩形状板材を基板（２）として、該基板（２）の上縁部（３）左右に、前記ロールホルダーの桁（１４）に対して着脱可能な垂直に懸吊するフック部（９）を設け、該左右フック部（９）の中間に、粘着力を有するシリコンゴム（１３）を貼着した棚状の張出から成るポリ袋摺動部（１０）と、該ポリ袋摺動部（１０）の下位に、広告用紙を収納する広告用紙収納部（１１）とを設け、これらポリ袋摺動部（１０）と広告用紙収納部（１１）が設けられた面を本体前面（７）、フック部が設けられた面を本体背面（８）とする。
（ロ）フック部（９）は、基板（２）の上縁部（３）左右にあって、前記ロールホルダーの桁（１４）に垂直に懸吊するために、該ロールホルダーの桁（１４）を包摂する断面が、図３で示すように上下逆の略Ｕ字状を成し、本発明の着脱を容易とする。
（ハ）ポリ袋摺動部（１０）は、左右フック部（９）の中間、三角形状突起（１２）の直前にあって、棚状の張出に粘着力を有するシリコンゴム（１３）を貼着し、利用者が図７、８、９で示すようにポリ袋（２３）を手前に引き出し、三角形状突起（１２）で切断用ミシン目（２８）を刺突し、切断後、図１１で示すようにシリコンゴム（１３）にポリ袋（２４）を摺動させて、簡単、迅速、衛生的に開口することが出来る。
（ニ）広告用紙収納部（１１）は、ポリ袋摺動部（１０）の下位にあり、基板（２）と挟持板（５）のそれぞれ下縁部（４）を接続板（６）で結合された一体化した空間から成り、広告などの書面を利用者に見やすくするために挟持板（５）には透明な板材を用い、また図３で示すように挟持板（５）の上端は内側に押圧するよう基板（２）と挟持板（５）の間隔が狭められているので、挟持された広告などの書面が抜け落ちることはない。
本発明は、以上のような構造である。
【００１９】  本発明を使用するときは、ポリ袋摺動部（１０）及び広告用紙収納部（１１）のある本体前面（７）を利用者側に向け、両手で左右フック部（９）を保持しつつ、ロールホルダーの桁（１４）に懸吊するが、ロールホルダーにロール状ポリ袋（２２）が装架されている場合は、安全のために一旦ロール状ポリ袋（２２）を取り外した後、懸吊する。
【００２０】  広告用紙収納部（１１）を構成する挟持板（５）は、前記した透明な板材から成るものを接続板（６）により基板と結合する方法に限定されるものではなく、基板と挟持板とを透明な合成樹脂材などで一体に形成してもよい。
【００２１】  広告用紙収納部（１１）の被挟持物は、広告などの書面に限定されるものではなく、前記広告などの書面を挿入した透明なカードケースやクリアホルダーを挟持してもよい。
【００２２】  広告用紙収納部（１１）の被挟持物は、広告などの書面に限定されるものではなく、基板（２）と挟持板（５）との間隔を空ける構造として、試供品を置いてもよい。
【００２３】  広告用紙収納部（１１）は、スーパーマーケットの広告や告知などを掲出することに限定されるものではなく、スーパーマーケットが許可した広告代理店などの第三者が利用料を支払って利用してもよい。
【００２４】  利用者は、図７、８で示すように従来通りにロールホルダーから、ロール状ポリ袋（２３）を引き出し、三角形状突起（１２）に切断用ミシン目（２８）を合わせ、図９で示すように切り離しを行い、ポリ袋（２４）を図１１で示すようにポリ袋摺動部（１０）のシリコンゴム（１３）に摺動させ、ポリ袋（２４）を開口し、商品の袋詰めを迅速且つ衛生的に行うことが出来る。
【符号の説明】
【００２５】  １    ポリ袋開口具
２    基板
３    上縁部
４    下縁部
５    挟持板
６    接続板
７    本体前面
８    本体背面
９    フック部
１０    ポリ袋摺動部
１１    広告用紙収納部
１２    三角形状突起
１３    シリコンゴム
１４    桁ａ
１５    桁ｂ
１６    側板
１７    底板
１８    回動軸受
１９    回動軸
２０    架台支柱
２１    架台
２２    ロール状ポリ袋
２３    ポリ袋ａ
２４    ポリ袋ｂ
２５    中空芯
２６    ロール状ポリ袋１枚目開口部
２７    ロール状ポリ袋１枚目底部
２８    切断用ミシン目
２９    ロール状ポリ袋２枚目開口部
３０    広告物
【図１】
2020055623.tif 000003
【図２】
2020055623.tif 000004
【図３】
2020055623.tif 000005
【図４】
2020055623.tif 000006
【図５】
2020055623.tif 000007
【図６】
2020055623.tif 000008
【図７】
2020055623.tif 000009
【図８】
2020055623.tif 000010
【図９】
2020055623.tif 000011
【図１０】
2020055623.tif 000012
【図１１】
2020055623.tif 000013